(57)【特許請求の範囲】
【請求項１】
建築物における手摺り壁の上端面に上向きに開口した条溝を有する下枠部材を固着すると共に該手摺り壁の上方に対向する天井側の壁面に下向きに開口した条溝を有する上枠部材を上記下枠部材と平行にして固着し、これらの上下枠部材間に、一定幅を有する縦長長方形状のウエブ部の両側端に後方に向かってフランジ部を一体に突設してなる透光性を有する溝型形状の合成樹脂製目隠し壁材を複数本、ウエブ部が同一垂直面上に連なるように対向するフランジ部同士を順次、並設し、且つこれらの目隠し壁材の上下端部を上記上下枠部材の条溝にそれぞれ嵌め込んで支持させていることを特徴とする透光性を有する目隠し壁構造。
【請求項２】
目隠し壁材の両側フランジ部の先端に該先端から内側方に向かって直角に屈曲してなる一定幅の補強フランジ端部を一体に形成していることを特徴とする請求項１に記載の透光性を有する目隠し壁構造。
【請求項３】
目隠し壁材の両側フランジ部に水平方向に貫通する連結用孔を穿設し、隣接する目隠し壁材のフランジ部における相対する連結用孔間をボルトや線条物等の固定手段によって一体に連結、固定していることを特徴とする請求項１に記載の透光性を有する目隠し壁構造。
【請求項４】
目隠し壁材のウエブ部に、表裏面間に亘って貫通した複数個の通風孔を穿設していることを特徴とする請求項１に記載の透光性を有する目隠し壁構造。
【請求項５】
上下枠部材の条溝の溝幅を目隠し壁材のウエブ表面からフランジ部先端までの厚みよりも大きくし、且つ上枠部材の条溝の深さを下枠部材の条溝の深さよりも深く形成していることを特徴とする請求項１に記載の透光性を有する目隠し壁構造。
【請求項６】
上下枠部材の両端間に両側縦枠部材を固着して矩形枠を形成し、この矩形枠内に複数個の目隠し壁材を並設状態に配設していることを特徴とする請求項１に記載の透光性を有する目隠し壁構造。
【請求項７】
目隠し壁材は長さ方向に複数分割されていることを特徴とする請求項１乃至請求項４のうちいずれか１項に記載の目隠し壁構造。
【発明の詳細な説明】
【０００１】
【発明の属する技術分野】
本発明は、建築物のベランダや通路における手摺り壁上に張設して外部からの透視を遮断し、プライバシーの保護を図ることができる透光性を有する目隠し壁構造に関するものである。
【０００２】
【従来の技術】
従来から、建築物におけるベランダ側に面した部屋は外部から見えやすいのでベランダにおける手摺り壁（パラペット）上に一定高さのフエンスを張設してこのフエンスにより目隠しを行っている。このようなフエンスとしては、種々の構造のものが知られているが、基本的には建築物のベランダにおける手摺り壁上に支柱を一定間隔毎に立設し、隣接する支柱の上端部間と下端部間とに笠木と下部横桟部材とを固着すると共にこれらの笠木と下部横桟部材間を数本の縦桟部材によって連結し、さらに、縦桟部材に横長長方形状の複数枚の羽根板を上下方向に並列状態に装着してなる構造としている。
【０００３】
【発明が解決しようとする課題】
しかしながら、上記のようなフェンスによれば、フェンスを張設したベランダの高さと同等または低位置にある低い建物や地上側に対しては目隠しとしての機能を果たすことができるが、フェンスを張設しているこの建築物の近くに該建築物よりも高い高層ビル等が存在している場合には、その高所からフェンスの上端と該フェンス上方の天井壁面との間の空間を通じてベランダに面している部屋を俯瞰的に見られ、目隠しとしての役目を果たすことができないという問題点がある。
【０００４】
このような問題点は、フェンスを高くすれば解消することができるが、フェンスを高くすれば羽根板による遮光性が増大して部屋を暗くするばかりでなく、フェンスはその構造上、高くすれば強度が著しく低下するので必要以上に高くすることができない。
【０００５】
一方、近年、透光性を有する壁材として、縦長長方形状のウエブ部の両側端に後方に向かってフランジ部を一体に設けてなる溝型形状に形成したガラス製壁材が開発されている。この溝型ガラス製壁材は５ｍ程度の長尺な長さに形成することが可能であり、且つ風圧等に充分に耐えることができる強度を有しているので、互いに対向するフランジ部同士をパッキン材を介して複数本、順次、接合させながら大形の矩形枠内に張設することにより、大面積の壁体を構成することができる。
【０００６】
しかしながら、ガラス製壁材は重量が大きくて取り扱いや施工が極めて困難であり、地上等の低位置に遮音壁として施工することができても、上述したように建築物のベランダや通路における手摺り壁上に目隠し壁として張設するには、作業空間上の制約も受けることから施工に困難をきたし、その上、ベランダや通路がその重量に耐えられないという問題が生じる。
【０００７】
さらに、手摺り壁の上端面と天井壁の下面との間の空間部に張設するには、施工上、予め、上述したように大形矩形枠内に複数本の溝型壁材を並列させた状態で組み込んでなる壁体を上記空間部に嵌め込むことが困難であるため、手摺り壁の上端面と天井壁の下面とに枠部材を固着しておき、これらの上下枠部材に溝型壁材の上下端部を支持させながら順次、枠部材の長さ方向に並設していく必要があるが、この場合においても、重量の大きい上記溝型ガラス製壁材では施工に困難をきたすことになる。
【０００８】
また、横方向に並設した溝型壁材同士をボルト等によって一体に連結する場合には、壁材のフランジ部にボルト等の取付孔を穿設しておく必要があるが、ガラス製の溝型壁材においては、このような取付孔を設けることは難しく、溝型壁材同士を一体的に連結してなる壁構造を構成することが困難である。
【０００９】
本発明はこのような問題点に鑑みてなされたもので、その目的とするところは建築物のベランダや通路における手摺り壁の上方空間部に容易に施工し得ると共に強度的、外観的にも優れ、且つ外部に対して全面的に目隠しが可能な透光性を有する目隠し壁構造を提供するにある。
【００１０】
【課題を解決るための手段】
上記目的を達成するために、本発明の透光性を有する目隠し壁構造は、請求項１に記載したように、建築物における手摺り壁の上端面に上向きに開口した条溝を有する下枠部材を固着すると共に該手摺り壁の上方に対向する天井側の壁面に下向きに開口した条溝を有する上枠部材を上記下枠部材と平行にして固着し、これらの上下枠部材間に、一定幅を有する縦長長方形状のウエブ部の両側端に後方に向かってフランジ部を一体に突設してなる透光性を有する溝型形状の合成樹脂製目隠し壁材を複数本、ウエブ部が同一垂直面上に連なるように対向するフランジ部同士を順次、並設し、且つこれらの目隠し壁材の上下端部を上記上下枠部材の条溝にそれぞれ嵌め込んで支持させてなる構造としている。
【００１１】
上記目隠し壁構造において、請求項２に係る発明は、上記目隠し壁材の両側フランジ部の先端に該先端から内側方に向かって直角に屈曲してなる一定幅の補強フランジ端部を一体に形成していることを特徴とし、請求項３に係る発明は、目隠し壁材の両側フランジ部に水平方向に貫通する連結用孔を穿設し、隣接する目隠し壁材のフランジ部における相対する連結用孔間をボルトや線条物等の固定手段によって一体に連結、固定していることを特徴としている。
【００１２】
また、請求項４に係る発明は、目隠し壁材のウエブ部に、表裏面間に亘って貫通した複数個の通風孔を穿設していることを特徴とするものであり、請求項５に係る発明は、請求項１における上下枠部材の条溝の溝幅を目隠し壁材のウエブ表面からフランジ部先端までの厚みよりも大きくし、且つ上枠部材の条溝の深さを下枠部材の条溝の深さよりも深く形成していることを特徴としている。
【００１３】
請求項６に係る発明は、上下枠部材の両端間に両側縦枠部材を固着して矩形枠を形成し、この矩形枠内に複数個の目隠し壁材を並設状態に配設してなる構造としている。また、請求項７に係る発明は、目隠し壁材を長さ方向に複数分割していることを特徴とする。
【００１４】
【作用】
建築物における手摺り壁とこの手摺り壁の上方における天井壁面との間の空間部に目隠し壁を施工するには、まず、手摺り壁の上端面に下枠部材を敷設、固定する一方、この下枠部材の上方の天井壁面に上枠部材を固着する。しかるのち、溝型形状の合成樹脂製目隠し壁材を、そのウエブ部の表面を前面側に向けた状態にしてその上下端部を上記上下枠部材の条溝内に嵌め込むことによって取付けたのち、次の目隠し壁材を同様にして上下枠部材間に取付ける。
【００１５】
なお、上下枠部材間に目隠し壁材を取付ける際に、所定の作業位置において行い、取付けた目隠し壁材を上下枠部材の条溝に沿って該枠部材の長さ方向に移動させたのち、次の目隠し壁材を同一作業位置において上下枠部材間に取付けることにより、作業空間が制限されるベランダ等においても目隠し壁材を能率よく施工することができる。また、目隠し壁材の取付け作業は、上枠部材の条溝を下枠部材の条溝よりも深く形成しておき、まず、目隠し壁材の上端部を上枠部材の条溝に嵌め込んだのち、下端部を下枠部材の条溝に嵌め込むことによって容易に配設することができる。こうして、上下枠部材間にこれらの上下枠部材の全長に亘って複数本の目隠し壁材を並設して目隠し壁を構成する。
【００１６】
上下枠部材は手摺り壁の施工形態、即ち、手摺り壁の上端面が水平方向に直線状、或いは曲線状、又は、屈折した形状等の施工形態に応じた形状に形成されてあり、且つ一定長さの枠部材を連続的に継ぎ足すことによって一連の枠部材を構成している。また、建築物における隣接する部屋間に対向する部分においては、上下枠部材間に縦枠部材を固着して隣りの部屋との仕切部を形成してもよい。
【００１７】
上記合成樹脂製の目隠し壁材は、その両側フランジ部の先端に内側方に向かって直角に屈曲してなる一定幅の補強フランジ端部を一体に設けて曲げ剛性を大きくしている。また、並設した目隠し壁材同士の連結は、例えば、目隠し壁材の両側フランジ部に連結用孔を穿設しておき、この連結用孔にボルト或いはワイヤ等の線条物を挿通して締め付けることにより行うことができる。
【００１８】
さらに、目隠し壁材は上述したように合成樹脂製であるから、そのウエブ部に多数の通風孔を穿設しておくことができ、通風機能を発揮すると共に風圧に耐える構造とすることができると共に、長さ方向に複数分割した形状とすることができて取扱性が一層容易となるばかりでなく、施工高さに応じた寸法に簡単に切断、設定することができて施工性を向上させることができる。なお、目隠し壁材は、表面全面を梨地状或いはシボ状等の粗面に形成して半透明にしている。
【００１９】
【発明の実施の形態】
次に、本発明の実施の形態を図面について説明すると、図１は目隠し壁材１の簡略斜視図であって、この目隠し壁材１は透光性を有する合成樹脂製であり、本実施例ではポリカーボネート樹脂を使用してあり、一定幅を有する縦長長方形状のウエブ部11の両側端に全長に亘ってこのウエブ部11に対して後方（ウエブ部11の裏面側）に向かって直角に屈折した一定幅を有するフランジ部12、12を一体に突設してあり、さらに、これらのフランジ部12、12の先端に該フランジ部12に対して内側方、即ち、ウエブ部11の裏面と平行する方向に直角に屈曲した一定幅を有する補強フランジ端部13、13を一体に設けて全体の形状を溝型形状に形成されている。
【００２０】
このポリカーボネート樹脂製目隠し壁材１の寸法は、例えば、厚みが５mm、ウエブ部11の幅（横幅）が262mm 、フランジ部12の幅が50mm、補強フランジ端部13の幅が30mm、長さが1800mmに形成されているが、長さは施工すべき上下対向壁面間の寸法に応じて適宜に設定される。さらに、目隠し壁材１はその表面全面を梨地調の粗面に形成して外部から透視が困難な半透明に形成している。また、目隠し壁材１における両側フランジ部12、12の上下端部の幅方向中央部には、内外面間に亘って水平方向に貫通した連結用孔14、15を穿設している。
【００２１】
図２〜図６は、マンション等の建築物におけるベランダ或いは通路の手摺り壁（コンクリートパラペット）２の上端面とこの手摺り壁２の上方の天井側の壁面３との間の空間部、即ち、手摺り壁２の上端面と上層階側の床スラブ端の下面との間の空間部に、上記目隠し壁材１を複数本、横列状態に並設することによって構成された、該空間部を全面的に遮蔽している目隠し壁の構造を示すもので、手摺り壁２の上端面に一定幅を有する下枠部材５を敷設してアンカーボルト等により固着していると共に該下枠部材５の上方における天井側の壁面にこの下枠部材５と平行にして上枠部材４を同じくアンカーボルト等により固着し、これらの上下枠部材４、５に目隠し壁材１の上下端部を支持させた状態で複数本の目隠し壁材１、１・・・を並設することによって目隠し壁を構成しているものである。
【００２２】
上記上下枠部材４、５は、アルミニウム又はアルミ合金の成形品であって、図４に示すように、上枠部材４は一定幅を有する帯板形状の天面板部4aの前後両端縁に下方に向かって一定の突出長を有する前後面板部4b、4cを突設した断面下向きコ字状に形成されてあり、これらの面板部によって下向きに開口した条溝６を全長に亘って形成している。同様に、下枠部材５は上記上枠部材４の天面板部4aと同一幅を有する帯板形状の底面板部5aの前後両端縁に上方に向かって上記上枠部材４の前後面板部4b、4cよりも高さの低い前後面板部5b、5cを突設した断面上向きコ字状に形成されてあり、これらの面板部によって上向きに開口した条溝７を全長に亘って形成している。
【００２３】
これらの上下枠部材４、５の条溝６、７の溝幅は、上記目隠し壁材１の厚み、即ち、フランジ部12の幅（50mm）よりも広い幅（80mm）に形成されてあり、さらに、上枠部材４の条溝６の深さを下枠部材５の条溝７よりも深く形成している一方、目隠し壁材１の長さを上枠部材４の前後面板部4b、4cの下端から下枠部材５の底面板部5a間の寸法よりも僅かに長い長さに形成されていて、上下枠部材４、５間に配設する際に、まず、その上端部を上枠部材４の条溝６内に挿入したのち下端部を下枠部材５の条溝７に落とし込むことによって上下枠部材４、５の条溝６、７間に張設される。
【００２４】
そして、複数本の目隠し壁材１は、長さ方向を上下方向に向けてその上下端部を上下枠部材４、５の条溝６、７内にはめ込んで状態にして且つウエブ部11の表面を建物外側に向けた状態にして水平方向に並設して目隠し壁を構成している。下枠部材５の条溝６内に嵌入している各目隠し壁材１の下端面は、図４に示すように、条溝６の内底面、即ち、底面板部5aの上面に固着している一定厚みを有するゴム製支持片20に上に受止されていると共に、補強フランジ端部13、13の上下端部における後端面とこの後端面に対向する上下枠部材４、５の後面板部4c、5cとの間に一定厚みのスペーサ部材21、22をそれぞれ介在させて全ての目隠し壁材１の表面を垂直面上に面一状態となるように配設してあり、さらに、ウエブ部11の上下端部における表面とこの表面に対向する上下枠部材４、５の前面板部4b、5bとの間にスペーサ部材23、24を介在させている。
【００２５】
また、各隣接する目隠し壁材１、１において、一方の目隠し壁材１のフランジ部12とこのフランジ部12に対向した他方の目隠し壁材１のフランジ部12との前端部間に、図５に示すようにゴム製紐状物からなるバックアップ材８を全長に亘って介在させて目隠し壁材１、１間に小幅の隙間25を設けてあり、この隙間25に表面側からシリコン系などの適宜な目地材26を充填している。このバックアック材８は目隠し壁を施工する前に、目隠し壁材１のフランジ部12の外側面に貼着しておいても、或いは施工後にフランジ部12、12間に挿入してもよい。施工前に貼着しておくと、目隠し壁材１がバックアップ材８を介して互いに一定隙間を介して接合した状態で上下部材４、５の間に横方向に並列されるので、施工が容易となる。
【００２６】
さらに、隣接する目隠し壁材１、１同士は、上記対向するフランジ部12、12の上下端部に穿設している上記連結用孔14、15間を適宜な固定手段によって連結することにより一体に固定している。この固定手段としては、図２〜図５に示すように、並設した目隠し壁材１、１・・・における上側の連結用孔14、14間及び下側の連結用孔15、15間にそれぞれ長尺ボルト27を挿通して該長尺ボルト27に螺合しているナット28、28を相対する目隠し壁材１、１のフランジ部12、12の内側面に締め付けてなる構造や、隣接する目隠し壁材１、１の連結用孔14、14間及び15、15間に短尺ボルトを挿通してナットにより固定する手段、或いは、連結用孔14、14間及び15、15間にワイヤ等の線条物や長尺棒体等の棒状物を挿通してこの線条物や棒状物の両端を該線条物や棒状物を挿通している最外側の目隠し壁材１、１のフランジ部12、12の外側面に適宜な固着金具を使用して固定する手段等を採用することができる。
【００２７】
また、固定手段が長尺ボルト27の場合には、上記ナット28として半割りナット片を組み合わせてなる分割ナットを用いれば、長尺ボルト27を目隠し壁材１の連結用孔14、15に挿通したのち、外部から該分割ナットをボルト27の所望部分に螺合させることができる。連結用孔14、15はボルトや線条物よりも大径に形成してその内周面とボルトや線条物の外周面との間に隙間を設けてあり、この隙間によって目隠し壁材１が温度差によって伸縮した時にその伸縮量を吸収させるように構成している。なお、このようなボルトや線条物による目隠し壁材１、１同士の固定手段以外に、適宜な挟着金具等を使用して固定してもよく、或いは上下枠部材４、５に目隠し壁材１の上下端部をスペーサ部材等によって固定してもよい。この場合には、目隠し壁材１に連結用孔14、15を穿設しておく必要はない。
【００２８】
目隠し壁を施工する手摺り壁２の形態において、該手摺り壁２が屈折や湾曲することなく平坦な壁面、即ち、その上端面が水平方向に直線状に施工されている場合には、図５に示すように、直状の下枠部材５をその上端面に敷設、固定すると共にこの下枠部材５に対向して直状の上枠部材４を天井側壁面に固着し、これらの上下枠部材４、５間に同一断面形状を有する複数本の目隠し壁材１、１・・・をそのウエブ部11が同一平面方向に連なるように施工されるが、手摺り壁２が図６に示すように、屈折した施工形態の場合には、その屈折した上端面には、該上端面と同様に屈折している下枠部材5Aを敷設、固定する一方、目隠し壁材1Aもそのウエブ部11を下枠部材5Aの屈折度に応じて横断面へ字状に屈折させた断面形状のものを用いる。手摺り壁２が湾曲している場合においても同様である。
【００２９】
また、上下枠部材４、５は一定長さの枠部材を長さ方向に継ぎ足すことによって一連の枠部材に形成されている。さらに、これらの上下枠部材４、５は建築物における一戸の幅に相当する長さ毎に配設して隣接する戸間における上下枠部材４、５の端部間に縦枠部材（図示せず）の上下端を連結させることにより大形の矩形枠に形成し、この矩形枠内に複数本の目隠し壁材１を上述したように並設させることにより目隠し壁を構成してもよく、この場合には、縦枠部材によって隣接する戸の部屋間を区画する仕切部を形成した目隠し壁構造となる。
【００３０】
次に、上記のように構成した目隠し壁の施工方法を簡単に説明すると、まず、手摺り壁２の上端面とこの上端面の上方における天井壁面とに下枠部材５と上枠部材４をそれぞれ配設して固着する。このように上下枠部材４、５を施工したのち、溝型形状に形成されたポリカーボネート樹脂製の上記目隠し壁材１を、そのウエブ部11の表面側を前面側、即ち、建築物の外側に向けた状態にしてその上端部を上枠部材４の条溝６内に差し込むことにより下端を下枠部材５の条溝７の上方にまで浮き上げ、次いで、その下端部を下枠部材５の条溝７上にまで変移させたのち、該条溝７内に落とし込むことにより、上下枠部材４、５の条溝６、７間に取付ける。
【００３１】
こうして上下枠部材４、５間に配設した目隠し壁材１は上下枠部材４、５の条溝６、７をガイドとしてこれらの条溝６、７の長さ方向に移動させたのち、次の目隠し壁材１を上記同様にして上下枠部材４、５の条溝６、７間に取付ける。以下、同様にして複数本の目隠し壁材１、１・・・を順次、上下枠部材４、５の条溝６、７間に配設して横列状態に並設させることにより、建築物におけるベランダや通路側に面した部屋を外部から遮蔽した目隠し壁を構成する。なお、目隠し壁材１は必ずしも所定の作業位置において上下枠部材４、５間に対する取付け施工を行う必要はなく、その作業位置を変えて施工作業を行ってもよい。
【００３２】
隣接する目隠し壁材１、１は互いにバックアップ材８を押し込み挿入できる程度の隙間をあけてフランジ部12、12を対向させてあり、並設後にバックアップ材８を前記隙間に押し込み、更に、該バックアップ材８の表面側における目隠し壁材１、１間の隙間に目地材26を充填する。この目地材26の充填作業の前に、上述したように、目隠し壁材１の両側補強フランジ端部13、13の上下端部における後端面とこの後端面に対向する上下枠部材４、５の後面板部4c、5cとの間に一定厚みのスペーサ部材21、22をそれぞれ介在させて全ての目隠し壁材１の表面を垂直面上に面一状態となるように前後方向の位置調整を行うと共に、ウエブ部11の上下端部における表面とこの表面に対向する上下枠部材４、５の前面板部4b、5bとの間にスペーサ部材23、24を介在させて固定しておく。
【００３３】
また、並設している全ての目隠し壁材１、１は、上述したように、そのフランジ部12の上下端部に穿設している連結用孔14、15にボルト或いはワイヤ等の線条物を挿通して締め付けることにより一体に連結される。
【００３４】
図７は本発明の目隠し壁構造を構成する上記目隠し壁材の別な実施例を示すもので、このポリカーボネート樹脂製目隠し壁材1'は、そのウエブ部11に表裏面間に貫通する小径の通風孔９を全面に亘って略均一な分布状態で多数、穿設してなるものである。その他の構成については上記実施例で述べた目隠し壁材１と同様であるので、同一部分には同一符号を付して詳細な説明を省略する。
【００３５】
この目隠し壁材1'を複数本、手摺り壁２の上端面とこの上端面の上方における天井壁面とに固着している上記上下枠部材４、５の条溝６、７にその上下端部を順次、嵌め込み支持させて横列状態に並設することにより、目隠し壁を構成すると、上記通風孔９によって適度の通風機能を発揮するばかりでなく、強風時においてはその風圧に耐えることができる目隠し壁を構成し得る。なお、通風孔９は必ずしもウエブ部11に略均一な分布状態で穿設しておく必要はなく、全体が適宜な模様状となるように穿設すれば、優れた外観を呈する目隠し壁を構成することができる。また、目隠し壁材１、1'は適宜に着色しておいてもよい。
【００３６】
なお、上記目隠し壁材１、1'はポリカーボネート樹脂製であるから、ガラス製目隠し壁材では困難な長さ方向に複数分割した目隠し壁とすることができる。即ち、図８に示すように、上記縦長長方形状のポリカーボネート樹脂製目隠し壁材１、1'を、所定長さ毎に分断して複数個の短尺の目隠し壁材1a、1b・・・とし、この目隠し壁材を複数個、縦連状に組み合わせて所定長さの長尺目隠し壁材を構成してもよい。この目隠し壁において、目隠し壁材1a・・・、1b・・・は、それぞれ長尺ボルト27等の固定手段で連結、固定されていると、目隠し壁材1a、1b・・・がバラバラになることがなく、また施工が容易となる。この目隠し壁材ではフランジ部12に補強フランジ端部13を設けていないが、一体に設けておいてもよいのは勿論である。
【００３７】
【発明の効果】
以上のように本発明の透光性を有する目隠し壁構造によれば、下向きに開口した条溝を有する上枠部材と上向きに開口した条溝を有する下枠部材とを上下方向に所定間隔を存して平行に配設すると共にこれらの上下枠部材間に、一定幅を有する縦長長方形状のウエブ部の両側端に後方に向かってフランジ部を一体に突設してなる透光性を有する溝型形状の合成樹脂製目隠し壁材を複数本、ウエブ部が同一垂直面上に連なるように対向するフランジ部同士を順次、並設し、且つこれらの目隠し壁材の上下端部を上記上下枠部材の条溝にそれぞれ嵌め込んで支持させた構造としているので、目隠し壁材は合成樹脂製であるから、軽量で取扱性がよく、建築物のベランダや通路のような狭隘にして作業空間が制限される場所においても室外に面した部屋を外部に対して全面的に目隠しをする透光性に優れた壁を能率よく施工することができる。
【００３８】
さらに、この目隠し壁は、手摺り壁の壁体上端面とその上方の天井壁面とに上下枠部材を固着してこれらの上下枠部材間に溝型形状の合成樹脂製目隠し壁材を複数本、そのウエブ部が同一垂直面上に連なるように対向するフランジ部同士を順次、並設した状態に張設しているので、建築物における左右方向に隣接する全ての部屋に沿って連続した目隠し壁を容易に施工することができると共に、その施工も所定の作業位置で、目隠し壁材の上下端部を上下枠部材の条溝に順次、嵌め込んでいくことによって簡単且つ正確に行うことができる。
【００３９】
また、請求項２に係る発明によれば、上記目隠し壁材の両側フランジ部の先端に該先端から内側方に向かって直角に屈曲してなる一定幅の補強フランジ端部を一体に形成しているので、溝型形状に形成されている合成樹脂製目隠し壁材の曲げ剛性が一層大きくなって風圧等にも充分に耐えることができる目隠し壁を構成することができる。
【００４０】
請求項３に係る発明によれば、目隠し壁材の両側フランジ部に水平方向に貫通する連結用孔を穿設し、隣接する目隠し壁材のフランジ部における相対する連結用孔間をボルトや線条物等の固定手段によって一体に連結、固定しているので、並設した全ての目隠し壁材が強固に一体化して耐圧強度等に優れた剛直な目隠し壁を形成することができると共に目隠し壁材が単独的に妄動するのを防止して常に良好な外観を呈した目隠し壁を提供することができる。
【００４１】
さらに、上記目隠し壁材は、上述したように合成樹脂製であるから、請求項４に記載したようにそのウエブ部に多数の通風孔を穿設しておくことができ、通風機能を発揮すると共に風圧に耐える構造とすることができる。
【００４２】
また、請求項５に係る発明によれば、目隠し壁材の上下端部を支持する上記上下枠部材の条溝の溝幅を目隠し壁材のウエブ表面からフランジ部先端までの厚みよりも大きくし、且つ上枠部材の条溝の深さを下枠部材の条溝の深さよりも深く形成しているので、目隠し壁材を施工する際に、まず、目隠し壁材の上端部を上枠部材の条溝に嵌め込んだのち、下端部を下枠部材の条溝に嵌め込むことによって容易に配設することができ、施工能率を向上させることができる。
【００４３】
なお、上記上下枠部材間に縦枠部材を固着して矩形状の枠を形成し、この矩形枠内に複数本の目隠し壁材を並設状態で配設してもよく、この場合には、上記縦枠部材を建築物における隣接する部屋間の前方に設けることによって隣の部屋との明確な仕切り部を形成することができる。
【００４４】
さらにまた、上記縦長長方形状の合成樹脂製目隠し壁材を、長さ方向に複数分割した短尺の目隠し壁材を縦連状に組み合わせることによって形成してもよく、この場合には運搬その他の取扱性、及び施工性が一層良好となり、その上、所望長さの目隠し壁材を簡単且つ正確に形成することができる。
【図面の簡単な説明】
【図１】目隠し壁材の一部省略斜視図、
【図２】目隠し壁の一部を切欠いた簡略斜視図、
【図３】その簡略正面図、
【図４】縦断側面図、
【図５】目隠し壁の一部の横断面図、
【図６】屈折した目隠し壁部分の横断面図、
【図７】目隠し壁材の別な実施例を示す一部省略斜視図、
【図８】目隠し壁材のさらに別な実施例を示す一部省略斜視図。
【符号の説明】
１  目隠し壁材
11  ウエブ部
12  フランジ部
13  補強フランジ端部
14  連結用孔
２  手摺り壁
３  天井側壁面
４  上枠部材
５  下枠部材
６、７  条溝
８  バックアップ材
９  通風孔
27  ボルト
【図１】
0004731023.tif 000002
【図２】
0004731023.tif 000003
【図３】
0004731023.tif 000004
【図４】
0004731023.tif 000005
【図５】
0004731023.tif 000006
【図６】
0004731023.tif 000007
【図７】
0004731023.tif 000008
【図８】
0004731023.tif 000009